(57)【特許請求の範囲】
【請求項１】
入力映像信号が供給され、フィルタ特性がノイズ低減レベル設定値により制御されるフィルタ部と、
前記入力映像信号を１フレーム期間遅延するフレーム遅延回路と、
前記フレーム遅延回路からのフレーム遅延映像信号と、前記入力映像信号との差から得た２値化出力の所定論理値を１画面分計数した計数値を出力するフレーム間差分情報計数回路と、
前記計数値の増加に伴いノイズ低減を強くする方向の前記ノイズ低減レベル設定値を生成するノイズ低減レベル発生器と
を有することを特徴とするデジタルノイズ低減装置。
【請求項２】
前記フレーム間差分情報計数回路は、
前記フレーム遅延回路の出力映像信号と、前記入力映像信号との差出力を得る減算器と、
前記差出力と閾値とを比較して、前記２値化出力を得る比較器と、
前記２値化出力の所定論理値を、１フレーム期間分カウントして前記計数値を得る計数回路と、
を有することを特徴とする請求項１記載のデジタルノイズ低減装置。
【請求項３】
前記フィルタ部は、
水平ノイズ低減回路と垂直ノイズ低減回路を含むことを特徴とする請求項１記載のデジタルノイズ低減装置。
【請求項４】
前記フレーム遅延映像信号としては、インターレース・プログレッシブ変換回路で用いる信号を出力しているフレーム遅延回路からの信号が用いられていることを特徴とする請求項１記載のデジタルノイズ低減装置。
【請求項５】
前記フィルタ部は、垂直エンハンサ及び垂直コアリング回路を含むことを特徴とする請求項１記載のデジタルノイズ低減装置。
【請求項６】
入力映像信号が供給され、フィルタ特性がノイズ低減レベル設定値により可変されるフィルタ部と、
前記入力映像信号を１フレーム期間遅延するフレーム遅延回路と、
前記フレーム遅延回路からのフレーム遅延映像信号と、前記入力映像信号との差から得た２値化出力の所定論理値を１画面分計数した計数値を得るフレーム間差分情報計数回路と、
前記計数値と、値が異なる複数の比較レベルと比較し、前記計数値に対応した比較レベルを検出レベル信号として出力する比較器と、
前記検出レベル信号の値が小から大に変化したときは、大きい方の値の検出レベル信号を選択してノイズ低減を強くする方向である前記ノイズ低減レベル設定値として出力し、逆に大から小に変化したときは、段階的にノイズ低減を弱くする方向である前記ノイズ低減レベル設定値を低減するノイズ低減レベル可変部とを有したことを特徴とするデジタルノイズ低減装置。
【請求項７】
前記ノイズ低減レベル可変部は、
所定の減算値と前記ノイズ低減レベル設定値との差を得る減算器と、
前記差と、前記検出レベル信号とを比較し、大きいほうを選択して出力する比較選択回路と、
前記比較選択回路の出力を前記ノイズ低減レベル設定値として出力するレジスタと
を具備したことを特徴とする請求項６記載のデジタルノイズ低減装置。
【請求項８】
映像信号を受信する受信部と、前記受信部で受信した入力映像信号に所定の信号処理を施す信号処理装置と、前記信号処理装置で所定の信号処理が施された映像信号を表示する表示部と、動作を統括する制御部とを有した映像信号処理装置において、
前記信号処理装置は、
復号映像信号が供給され、フィルタ特性がノイズ低減レベル設定値により制御されるフィルタ部と、
前記入力映像信号を１フレーム期間遅延するフレーム遅延回路と、
前記フレーム遅延回路からのフレーム遅延映像信号と、前記入力映像信号との差から得た２値化出力の所定論理値を１画面分計数し、計数値を得るフレーム間差分情報計数回路と、
前記計数値の増加に伴いノイズ低減を強くする方向のノイズ低減レベル設定値を生成し、このノイズ低減レベル設定値を前記フィルタ部に与えるノイズ低減レベル発生器と
を含むことを特徴とする映像信号処理装置。
【請求項９】
前記信号処理装置は、前記入力映像信号を復号して前記復号映像信号を得るＭＰＥＧデコーダを含むことを特徴とする請求項８記載の映像信号処理装置。
【請求項１０】
入力映像信号をフィルタリングするフィルタ部と、フレーム遅延回路と、フレーム間差分情報計数回路と、ノイズ低減レベル発生器とを有し、前記フィルタ部に対して、ノイズ低減レベル設定値を与えるデジタルノイズ低減方法において、
前記フレーム遅延回路により前記入力映像信号を１フレーム期間遅延してフレーム遅延映像信号を出力し、
前記フレーム差分情報計数回路により、フレーム遅延映像信号と、前記入力映像信号との差から得た２値化出力の所定論理値を１画面分計数して計数値を出力し、
前記ノイズ低減レベル発生器により、前記計数値の増加に伴いノイズ低減を強くする方向の前記ノイズ低減レベル設定値を生成する
ことを特徴とするデジタルノイズ低減方法。
【請求項１１】
前記フレーム間差分情報計数回路は、減算器と、比較器と、計数回路を含み、
減算器で、前記フレーム遅延映像信号と、前記入力映像信号との差を生成し、
前記比較記で、前記差と閾値とを比較して、前記２値化出力を生成し、
前記計数回路で、前記２値化出力の所定論理値を、１フレーム期間分カウントして前記計数値を出力する、
ことを特徴とする請求項１０記載のデジタルノイズ低減方法。
【請求項１２】
前記ノイズ低減レベル発生器は、比較器と、ノイズ低減レベル可変部とを含み、
前記比較器で、前記計数値と、値が異なる複数の比較レベルと比較し、前記出力値が対応している比較レベルを検出レベル信号として出力し、
ノイズ低減レベル可変部で、前記検出レベル信号の値が小から大に変化したときは、大きい方の値の検出レベル信号を直接前記ノイズ低減レベル設定値として出力し、逆に大から小に変化したときは、段階的に前記ノイズ低減レベル設定値を低減する
ことを特徴とする請求項１０記載のデジタルノイズ低減方法。
【発明の詳細な説明】
【技術分野】
【０００１】
この発明は、デジタルノイズ低減装置及び方法及び映像信号処理装置に関するものであり、例えばデジタルテレビジョン受信装置に適用されるもので、特にノイズ低減動作の効力をノイズレベルに応じて適切に可変できるようにしたものである。
【背景技術】
【０００２】
周知のように近年では、テレビジョン放送のデジタル化が推進されてきている。例えば、日本国内においてはＢＳ（broadcasting satellite）デジタル放送及び１１０度ＣＳ（communication satellite）デジタル放送等の衛星デジタル放送だけでなく、地上デジタル放送も開始されている。
【０００３】
テレビジョンテレビジョン放送受信装置では、トランスポートストリームから所望のパケットを抽出し、パケット内の圧縮された映像信号を復号している。映像信号は、ＭＰＥＧ方式により圧縮されている。
【０００４】
ＭＰＥＧ方式で圧縮された信号を復号した場合、ブロックノイズ、モスキートノイズ等が生じることがある。また、シーンチェンジがあった場合は、復号信号では、その後ノイズがしばらくの間尾を引いて現れる場合がある。
【０００５】
従来、デジタル映像信号のフィールド間またはフレーム間の画素差分量を抽出して、動画静画判定を行い、この判定結果に応じて、ノイズ低減レベルを適応的に制御するという技術がある（例えば特許文献１）。動きの大きい画像に対してノイズ低減レベルが大きくなるような制御が行われる。逆に動きの小さい画像に対しては、ノイズ低減レベルが小さくなるような制御が行われる。
【特許文献１】特開２００２−１０１０５公報
【発明の開示】
【発明が解決しようとする課題】
【０００６】
上記したように、従来の技術では、フィールド間またはフレーム間の画素差分量を抽出して、動画静画判定を行い、この判定結果に応じて、ノイズ低減レベルを制御している。ここで動画判定要素としては、例えば、画素差分量の絶対値を１画面分累積加算して、その累積加算結果が閾値より大きい場合に、動画であると判定している。
【０００７】
しかしこれでは、動画像の面積の大小（動画像の大きさ）を無視した識別情報が得られてしまうという問題がある。例えば異なる条件（動画像の大きさケース）であるにも係わらず累積加算結果が同じ値Ａになる場合を考えてみる。
【０００８】
今、動画像の面積が小さいが、フィールド間又はフレーム間の輝度差が大きいために、累積加算結果が値Ａになったとする。これに対して、動画像の面積が大きく、フィールド間又はフレーム間の輝度差が小さい場合は、累積加算結果が同じ値Ａになる場合がある。
【０００９】
このような場合（動画像の面積が小さい場合と大きい場合）は、１画面対するノイズ低減レベルは、同じ値Ａとなる。この結果、動画像の面積の小さい画面において、静止画の領域に対しても不要なノイズ低減処理を施してしまうことになる。
【００１０】
そこでこの発明の一実施例では、ノイズ低減レベルを適切に得ることができるデジタルノイズ低減装置及び方法及び映像信号処理装置を提供することを目的とする。
【課題を解決するための手段】
【００１１】
この発明の一実施形態によれば、入力映像信号が供給され、フィルタ特性がノイズ低減レベル設定値により制御されるフィルタ部と、前記入力映像信号を１フレーム期間遅延するフレーム遅延回路と、前記フレーム遅延回路からのフレーム遅延映像信号と、前記入力映像信号との差から得た２値化出力の所定論理値を１画面分計数した計数値を出力するフレーム間差分情報計数回路と、前記計数値の増加に伴いノイズ低減を強くする方向の前記ノイズ低減レベル設定値を生成するノイズ低減レベル発生器とを有する。
【発明の効果】
【００１２】
上記した手段によると、フレーム間差分情報計数回路が設けられたために、適切なノイズ低減レベルを得ることができる。
【発明を実施するための最良の形態】
【００１３】
以下、図面を参照してこの発明の実施の形態を詳細に説明する。図１において、１００は、ＭＰＥＧデコーダであり、その復号出力は、入力映像信号として水平ノイズ低減回路２００、フレーム遅延回路５００、フレーム間差分情報計数回路６００に入力される。
【００１４】
水平ノイズ低減回路２００は、例えばクロック遅延素子と係数器を用いたフィルタであり、水平方向の水平ライン上のノイズの低減処理を行う。水平ノイズ低減回路２００の出力は、５タップライン遅延回路３００に入力される。５タップライン遅延回路３００は、複数のライン遅延回路を用いて、水平ラインを５ライン分同時化する。この同時化されたライン信号は、垂直ノイズ低減回路４００に入力され、垂直方向のノイズ低減処理が行われ、出力端子に出力される。
【００１５】
ここで、上記した水平ノイズ低減回路２００、及び垂直ノイズ低減回路４００に対しては、そのノイズ低減量を制御するために、後述するノイズ低減レベル設定値が供給されている。
【００１６】
フレーム間差分情報計数数回路６００は、減算器６０１を有する。この減算器６０１は、入力映像信号とフレーム遅延得映像信号との差分値を得る。この差分値Ｓは、比較器６０２に入力されて、閾値設定部６０３からの閾値ＴＨと比較される。比較器６０２は、例えば、｜Ｓ｜＞ＴＨのとき“１”を出力し、｜Ｓ｜≦ＴＨのとき“０”を出力する。
【００１７】
比較器６０２の出力は、計数回路６０４に入力される。計数回路６０４は、加算器６０５、カウンタ６０７を有し、入力“１”の数をカウントする。そして、１フレーム単位でのカウント値を出力し、これをノイズ低減レベル発生器７００に出力する。
【００１８】
ノイズ低減レベル発生器７００は、１フレーム分の計数値に応じて、ノイズ低減レベル設定値を出力する。このノイズ低減レベル設定値は、水平ノイズ低減回路２００及び垂直ノイズ低減回路４００にノイズ低減処理量を制御するための制御情報として与えられる。ノイズ低減レベル設定値に応じて、例えばフィルタの係数値あるいは制限値が制御される。
【００１９】
ＭＰＥＧ２システムによるデジタル映像圧縮処理では、フレーム間の相関を利用したエンコード処理が行われている。したがって、上記のカウント値が小さいときは、フレーム間の相関が高く、いわゆるＭＰＥＧノイズは少ないが、カウント値が大きいときはＭＰＥＧノイズが多い傾向となる。そこで、ノイズ低減レベル発生器７００は、係数回路６０４のカウント値に応じてフレーム間差分が大きい部分の割合に応じたノイズ低減レベル設定値を出力している。水平ノイズ低減回路２００は、ノイズ低減レベル設定値に応じて、ノイズ低減レベルが制御され、水平方向の高域成分のコアリング処理によりノイズを低減している。また、垂直ノイズ低減回路４００は、ノイズ低減レベル設定値に応じて、ノイズ低減レベルが制御され、垂直方向の高域成分のコアリング処理によりノイズを低減している。
【００２０】
図２（Ａ），図２（Ｂ）には、フレーム間差分情報計数回路６００の機能を説明するための図である。
【００２１】
図２（Ａ）の画面１０−１には、動画像１０Ａが表示され、画面１０−２には、動画像１０Ａが動画像１０Ｂの位置へ移動した様子を示している。そして画面１０−３では、フレーム間差分情報が取得される様子を示している。
【００２２】
図２（Ｂ）の画面１０−１には、動画像１１Ａが表示され、画面１０−２には、動画像１１Ａが動画像１１Ｂの位置へ移動した様子を示している。そして画面１０−３では、フレーム間差分情報が取得される様子を示している。
【００２３】
ここで、図２（Ａ）の動画像１０Ａは、面積は大きいが、輝度レベルは例えばグレーであり、背景画の輝度レベルとの差が小さい例である。これに対して、図２（Ｂ）の動画像１１Ａは、面積は小さいが、輝度レベルは例えば黒であり、背景画の輝度レベルとの差が大きい例である。
【００２４】
先に説明したフレーム間差分情報計数回路６００は、フレーム間の差分を得る。このために、画面１０−３における、白の部分の差分出力は、データ”０”であり、その周囲の画像ずれの部分では、背景画との差分が得られる。この差分値は、減算器６０１の出力段階では、背景画と動画像との輝度レベルの差である。したがって、図２（Ａ）の例よりも、図２（Ｂ）の例のほうが、輝度レベルの差は、大きい値となる。
【００２５】
したがって、単純に先の減算器６０１の出力の絶対値を１画面分、累積加算したのでは、以下のような事態が起こりえる。今、図２（Ｂ）の例で、動画像の面積が小さいが、フィールド間又はフレーム間の輝度差が大きいために、累積加算結果が値Ａになったとする。これに対して、図２（Ａ）の例のように、動画像の面積が大きい場合は、フィールド間又はフレーム間の輝度差が小さくても、累積加算結果が同じ値Ａになる場合がある。
【００２６】
このような不具合をなくすために、図１のフレーム間差分情報計数回路６０１では、比較器６０２を有し、差分値を２値化している。そして、この２値化された出力を、１画面分、累積加算している。このように処理した場合、図２（Ａ）の例で差分ありを示す”１”の係数値と、図２（Ｂ）の例で差分ありを示す”１”の係数値とは、必ず異なる値となる。
【００２７】
したがって、動画と静止画像との誤判定をなくすることができる。このことは、適切なノイズ低減レベル設定値を得ることに想到する。
【００２８】
図３には、計数回路６０４のカウント値に応じて、ノイズ低減レベル設定値を出力するノイズ低減レベル発生器７００の構成を詳しく示している。計数回路６０４のカウント値出力は、比較器７０１に入力される。比較器７０１は、８段階の比較値（レベル１−レベル７）を用意している。そしてカウント値に応じて検出レベル信号を出力し、比較選択回路７０２に与える。検出レベル信号は、以下のような判定の元で得られる。
【００２９】
カウント値  ＜  比較レベル１：  検出レベル信号＝０
比較レベル１  ≦  カウント値  ＜  比較レベル２：  検出レベル信号＝１
比較レベル２  ≦  カウント値  ＜  比較レベル３：  検出レベル信号＝２
比較レベル３  ≦  カウント値  ＜  比較レベル４：  検出レベル信号＝３
比較レベル４  ≦  カウント値  ＜  比較レベル５：  検出レベル信号＝４
比較レベル５  ≦  カウント値  ＜  比較レベル６：  検出レベル信号＝５
比較レベル６  ≦  カウント値  ＜  比較レベル７：  検出レベル信号＝６
比較レベル７  ≦  カウント値                  ：  検出レベル信号＝７
減算器７０３は、ノイズ低減レベル設定値から減算値設定部７０５からの減算値を減算し、その出力を比較選択回路７０２に与えている。比較選択回路７０２は、減算器７０３の出力と、比較器７０１から出力された検出レベル信号との比較を行い、大きい方を選択して出力する。この比較選択回路７０２の出力は、レジスタ７０４に供給される。レジスタ７０４は、１画面期間に１度比較選択回路７０２の出力を取り込み、次の１画面の処理開始まで保持する。このレジスタ７０４の保持データは、ノイズ低減レベル設定値として出力される。
【００３０】
減算値設定部７０５から与えられる減算値は、例えば０から７までのいずれかの整数であり、一例として減算値が１に設定されているものとする。ここで、入力映像信号として写真など静止画像が入力しており、シーンチェンジがあった場合の動作を説明する。
【００３１】
シーンチェンジ前のフレーム間の差が無いとき、即ち入力映像信号が静止画像である場合は、比較器７０１からの検出レベル信号は、「０」であり、そしてノイズ低減レベル設定値も「０」である。シーンチェンジで映像内容が大きく変化した場合、フレーム間差分が大きくなり、ＭＰＥＧノイズも多くなる状況である。このときは、検出レベル信号は、大きくなり例えば「７」となる。
【００３２】
そして、シーンチェンジの後、再度静止画入力状態となると、検出レベル信号は「０」となる。減算器７０３の出力は、レジスタ７０４に保持されている「７」から「１」を引いた値「６」となる。次のフレームでは、レジスタ７０４の出力（ノイズ低減レベル設定値）は「６」となる。この後、静止画像が入力している限り、さらに上記の減算器７０３の減算処理が１フレーム毎に行われ、レジスタ７０４の出力（ノイズ低減レベル設定値）は「６」、「５」、「４」、「３」、「２」、「１」、「０」となる。このようにシーンチェンジ後は、ＭＰＥＧノイズが多い状態から数フィールドに渡り暫時低減する傾向にあるが、上記したように、ノイズ低減レベルも大から小に変化させることで、適応的にノイズ低減処理を実行することができる。
【００３３】
上記のように減算器７０３、比較選択回路７０２、レジスタ７０４は、検出レベル信号の値が小から大に変化したときは、大きい方の値の検出レベル信号を直接ノイズ低減レベル設定値として出力し、逆に大から小に変化したときは、段階的にノイズ低減レベル設定値を低減するノイズ低減レベル可変部７０６を形成している。
【００３４】
図４には、図１に示した垂直ノイズ低減回路４００の具体的構成例を示している。５タップライン遅延回路３００からの信号は、垂直バンドパスフィルタ４０１に入力される。垂直バンドバスフィルタ４０１は、入力信号を用いてフィルタリング処理を行い、ノイズ成分が含まれる垂直高域成分を抽出する。この垂直高域成分は、リミッタ４０２に入力され、ノイズ低減レベル設定値により、例えば振幅制限を受けて、減算器４０３に入力される。減算器４０３では、ライン遅延出力信号のセンタータップの信号からリミッタ４０２の出力を減算し、垂直高域成分であるノイズを低減する。これにより、減算器４０３からは、高域コアリング方式よるノイズ低減された映像信号を得ることができる。
【００３５】
リミッタ４０２の出力の振幅の大きさが、ノイズ低減の程度となる。したがって、フレーム間差分が大きく、ＭＰＥＧノイズが多く発生したと推定されるときは、ノイズ低減レベル設定値が大きくなり、リミッタ４０２の出力も大きくなる方向へ制御される。また静止画像が連続しているときは、ノイズ低減効果を弱くし、ノイズと一緒に失われる画像の細部の信号の劣化を防ぐことができる。
【００３６】
図５には、この発明の装置の動作をフローチャートで示している。入力映像信号をフレーム遅延処理し（ステップＳＡ１）、フレーム遅延された映像信号と入力映像信号とのフレーム間差分値の取得が行なわれる（ステップＳＡ２）。次に差分値と閾値との比較が行なわれ、閾値よりも差分値が大きいときに“１”、小さいときに“０”が出力される（ステップＳＡ３）。
【００３７】
この出力値は、１フレーム期間カウントされ（ステップＳＡ４）、そのカウント値に応じて、図３で説明した「０−７」のうちいずれかの検出レベル信号が決定される（ステップＳＡ５）。この決定された検出レベル信号は、所定の閾値と比較され、大きい方が選択される（ステップＳＡ６）。そして１フレーム期間経過するごとに選択された信号がレジスタに保持される（ステップＳＡ７、ＳＡ８）。レジスタの保持信号は、ノイズ低減レベル設定値として、各フィルタに与えられる（ステップＳＡ９）。
【００３８】
図６には、本発明のノイズ低減装置をＩＰ（Interlace-Progressive）変換回路、フレーム巡回ノイズ低減回路、垂直エンハンサを有するシステムに組み込んだ例を示している。
【００３９】
入力端子８００からの入力映像信号は、フレーム巡回ノイズ低減及び水平高域コアリング回路８０１及びフレーム間差分情報計数回路６００に入力される。フレーム巡回ノイズ低減及び水平高域コアリング回路８０１は、入力映像信号とフレーム遅延回路８０２からのフレーム遅延映像信号とを用いて、フレーム巡回型のノイズ低減処理と、水平高域コアリング方式によるノイズリダクションを行なう。このフレーム巡回ノイズ低減及び水平高域コアリング回路８０１の出力は、フレーム遅延回路８０２及びＩＰ変換回路８０３に入力される。このＩＰ変換回路８０３には、フレーム遅延回路８０２から、フレーム遅延された映像信号ａ及びフィールド遅延された映像信号ｂと、現信号ｃとが入力される。ＩＰ変換回路８０３は、これらインターレース信号の空間処理を行い、つまり内挿処理及び補間処理を行い、プログレッシブ信号を生成して出力する。ＩＰ変換回路８０３の出力は、５タップライン遅延回路８０４にて、処理され５水平ラインの信号が同時化される。そして、この５つの水平ライン信号は、垂直エンハンサ及び垂直コアリング回路８０５に入力される。垂直エンハンサ及び垂直コアリング回路８０５は、垂直高域成分を加える垂直エンハンス処理、及びコアリングによる垂直ノイズ低減処理を、ノイズ低減レベル設定値に応じて行なう。ノイズ低減レベル設定値は、先のフレーム巡回ノイズ低減及び水平高域コアリング回路８０１にも入力されており、コアリング処理の程度を制御することができる。ノイズ低減レベル設定値は、フレーム間差分情報計数回路６００とノイズ低減レベル発生回路７００により生成されており、先に説明したとおりである。
【００４０】
上記した構成によると、フレーム遅延回路（フレームメモリ）８０２は、ＩＰ変換処理のためと、フレーム巡回ノイズ低減のためと、フレーム間差分情報計数のために活用されている。したがって、フレーム遅延回路８０２を利用することにより、本発明の要部を増設する場合、他の既存回路に大きな回路を追加する必要はない。また、ラインメモリも垂直エンハンサのものを一部利用することが可能である。このために既存のシステムに対して回路増加が非常に少なくて済み、安価に本発明の装置を組み込むことができる。
【００４１】
図７は、本発明のノイズ低減装置が組み込まれたデジタルテレビジョン放送受信装置の信号処理系を概略的に示している。
【００４２】
ノイズ低減装置は、信号処理部３４内に設けられている。デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＭＰＥＧデコーダ１００を含めて、ＭＰＥＧ（moving picture experts group）２デコード処理が施される。
【００４３】
またチューナ部２４の出力は、直接セレクタ２６に供給されている。この信号から映像・音声情報などが分離され、この映像・音声情報が制御部３５を介してＨＤＤユニット２０にて記録されることも可能である。
【００４４】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００４５】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００４６】
Ａ／Ｄ変換された信号が、ＨＤＤユニット２０にて記録される場合は、セレクタ２６に付随しているエンコーダにより、所定のフォーマット例えばＭＰＥＧ（moving picture experts group）２方式による圧縮処理が施された後、ＨＤＤユニット２０にて記録される。
【００４７】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００４８】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を受光部１８を介して受けることにより、その操作内容が反映されるように各部をそれぞれ制御している。
【００４９】
この場合、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００５０】
ここで、上記制御部３５は、スタンド１３内に収容されたＨＤＤユニット２０と接続されている。この場合、制御部３５からＨＤＤユニット２０に電源電力及び制御信号の供給を行なうライン３７は、接続部３８を介して制御部３５とＨＤＤユニット２０とを接続している。
【００５１】
また、制御部３５とＨＤＤユニット２０との間でデジタル映像及び音声信号を授受するライン３９は、i．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にi．Linkによって行なわれる。
【００５２】
そして、上記テレビジョン放送受信装置は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００５３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５４】
【図１】この発明の一実施の形態を示すブロック構成図である。
【図２】図１のフレーム間差分情報計数回路６００の動作を説明するために示した説明図である。
【図３】図１のノイズ低減レベル発生回路７００の具体的構成を示す図である。
【図４】図１の垂直ノイズ低減回路４００の具体的構成を示す図である。
【図５】本発明の他の実施形態である動作フローを示す図である。
【図６】さらにこの発明の他の実施形態を示すブロック図である。
【図７】さらにこの発明が適用されたデジタルテレビジョン受信装置の構成例を示す説明図である。
【符号の説明】
【００５５】
１００…ＭＰＥＧデコーダ、２００…水平ノイズ低減回路、３００…５タップライン遅延回路、４００…垂直ノイズ低減回路、５００…フレーム遅延回路、６００…フレーム間差分情報計数回路、７００…ノイズ低減レベル発生器、６０１…減算器、６０２…比較器、６０４…計数回路、７０１…比較回路、７０２…比較選択回路、７０３…減算器、７０４…レジスタ。
【図１】
0004693546.tif 000002
【図２】
0004693546.tif 000003
【図３】
0004693546.tif 000004
【図４】
0004693546.tif 000005
【図５】
0004693546.tif 000006
【図６】
0004693546.tif 000007
【図７】
0004693546.tif 000008